(57)【要約】【課題】  窓部下枠の下部での雨水による影響を排除する外装材上端部での処理機能と水切り機能とを備えるとともに、部品点数工程数を実質的に増加させることなく、簡単な施工で、すっきりとした美しい仕上げ外観とすることのできる、改善された窓下水切りを実現する。【解決手段】  窓部下枠１の下部において窓下水切り部材８を固着部材９を介して躯体壁部１０に取付ける窓下水切り部材８の取付構造であって、窓下水切り部材８は、後方端が躯体壁部１０に向って上向傾斜する受水傾斜部８１と、外装材の上端部を覆うカバー部８２と、該カバー部８２から延設されて下端部を外装材と離間させている水切り部８３とともに、前設カバー部８２の下面側の押込み嵌合片部８４を有し、躯体壁部１０に固着されている固着部材９の有する前方に突出している嵌合部９１に、前記窓下水切り部材８の押込み嵌合片部８４が前方より押込まれて嵌合されているものとする。【選択図】図１
2009287205.tif 000002
【特許請求の範囲】
【請求項１】
窓部下枠の下部において窓下水切り部材を固着部材を介して躯体壁部に取付ける窓下水切り部材の取付構造であって、窓下水切り部材は、後方端が躯体壁部に向って上向傾斜する受水傾斜部と、外装材の上端部を覆うカバー部と、該カバー部から延設されて下端部を外装材と離間させている水切り部とともに、前設カバー部の下面側の押込み嵌合片部を有し、躯体壁部に固着されている固着部材の有する前方に突出している嵌合部に、前記窓下水切り部材の押込み嵌合片部が前方より押込まれて嵌合されていることを特徴とする窓下水切り部材の取付構造。
【請求項２】
窓下水切り部材の押込み嵌合片部は後方への下向部とその端部の上向折り返し部を有しているとともに、前方へ突出している固着部材の嵌合部は後方に向う下向き折り返し部を有し、窓下水切り部材が前方より押込まれて、窓下水切り部材の押込み嵌合片部の上向折り返し部の上側に固着部材の前方に突出している嵌合部が差し込まれ、固着部材の後方への下向折り返し部に、窓下水切り部材はその押込み嵌合片部の上向折り返し部で抜け止めされた状態で嵌合されていることを特徴とする請求項１に記載の窓下水切り部材の取付構造。
【発明の詳細な説明】
【技術分野】
【０００１】
本発明は、建物窓部の下部での窓下水切り部材の取付構造に関するものである。
【背景技術】
【０００２】
従来より建物窓部のサッシ構造等においては、窓部下枠の下部に窓下水切り部材が配置されている。
【０００３】
このような窓下水切り部材の取付構造としては、たとえば図３に示したように、窓部下枠１の下部において、胴縁２等の建物躯体壁部に対して外装材３の上端部を覆うカバー部材４を固着し、このカバー部材４の前端折り返し部４１と外装材３の前面との間に窓下水切り部材５の上端部５１を差し込んで嵌着させることで窓下水切り部材５を取付ける構造（特許文献１）が知られている。この構造の外装材３の上端部からの雨水の浸透をカバー部材４の配設によって遮断し、外装材３の劣化、損傷を妨ぐとともに、窓部下枠１の前端部から垂れ落ちる雨水を窓下水切り部材５によって水切りすることで、雨水による外装材３の上端部での劣化、損傷をより効果的に妨ぐようにしている。
【０００４】
ただ、この構造においては、窓部下枠１の下面側から外装材３の裏面側への雨水の浸入を遮断することは必ずしも万全ではないという問題がある。また、雨水の排出を促すために窓部下枠１に排水穴を設けようとすると、排水穴からの雨水の外装材３の裏面側への浸入とこれによる外装材３の劣化、損傷や躯体壁部に対しての悪影響を妨ぐことが難しくなる。
【０００５】
そこで、たとえば図４に示したように、窓部下枠１に排水穴１１を設けて雨水の排出を促すようにした場合にも雨水Ａが外装材３の裏面側に浸入しないように、前記カバー部材４の上部に排水受水切り６を設けることや、さらには、シーリング材７を躯体壁面側に設けるこが考えられている。
【０００６】
しかしながら、この改善策においては外装材３の裏面側への雨水の浸入を妨いで水切り性を向上させる一方で、前記のカバー部材４と窓下水切り部材５とはさらに別部材としての排水受水水切り６を配設することから、部材点数とその取付けのための施工工程が増加し、しかも躯体壁へのその取付けは必ずしも容易でなく手間がかかるという問題がある。
【０００７】
さらにまた、仕上げ外観がすっきりせずに美しい外観とするのが難しくなるという問題がある。
【特許文献１】特開２００１−３２３５７２号公報
【発明の開示】
【発明が解決しようとする課題】
【０００８】
本発明は、以上のとおりの背景から、従来の問題点を解消して、窓部下枠の下部での雨水による影響を排除する外装材上端部での処理機能と水切り機能とを備えるとともに、部品点数工程数を実質的に増加させることなく、簡単な施工で、すっきりとした美しい仕上げ外観とすることのできる、改善された窓下水切りを実現することを課題としている。
【課題を解決するための手段】
【０００９】
本発明は、上記の課題を解決した、以下の特徴を有する窓下水切り部材の取付構造を提供する。
【００１０】
第１：窓部下枠の下部において窓下水切り部材を固着部材を介して躯体壁部に取付ける窓下水切り部材の取付構造であって、窓下水切り部材は、後方端が躯体壁部に向って上向傾斜する受水傾斜部と、外装材の上端部を覆うカバー部と、該カバー部から延設されて下端部を外装材と離間させている水切り部とともに、前設カバー部の下面側の押込み嵌合片部を有し、躯体壁部に固着されている固着部材の有する前方に突出している嵌合部に、前記窓下水切り部材の押込み嵌合片部が前方より押込まれて嵌合されている。
【００１１】
第２：窓下水切り部材の押込み嵌合片部は後方への下向部とその端部の上向折り返し部を有しているとともに、前方へ突出している固着部材の嵌合部は後方に向う下向き折り返し部を有し、窓下水切り部材が前方より押込まれて、窓下水切り部材の押込み嵌合片部の上向折り返し部の上側に固着部材の前方に突出している嵌合部が差し込まれ、固着部材の後方への下向折り返し部に、窓下水切り部材はその押込み嵌合片部の上向折り返し部で抜け止めされた状態で嵌合されている。
【発明の効果】
【００１２】
前記第１の本発明の構造によれば、従来の問題点を解消して、窓部下枠の下部での雨水による影響を排除する外装材上端部での処理機能と水切り機能とを備えるとともに、部品点数工程数を実質的に増加させることなく、簡単な施工で、すっきりとした美しい仕上げ外観とすることができる。
【００１３】
また、第２の発明によれば、前記の嵌合の構造を特定することで、より確実に前記効果をより顕著なものとして実現することができる。
【発明を実施するための最良の形態】
【００１４】
添付した図面の図１および図２は本発明の好ましい実施の形態の一例を示した縦断面図と分解斜視図である。
【００１５】
図１および図２の実施の形態での窓部下枠１の下部において窓下水切り部材８を固着部材９を介して躯体壁部１０に取付ける窓下水切り部材８の取付構造では、窓下水切り部材８は、後方端が躯体壁部１０に当接するように上向傾斜する受水傾斜部８１と、外装材３の上端部を覆うカバー部８２と、該カバー部８２から延設されて下端部を外装材と離間させている水切り部８３とともに、前設カバー部８２の下面側の押込み嵌合片部８４を有している。水切り部８３は、その部分形状としては、図３、図４に示した従来の窓下水切り部材５とほぼ同様に、垂下部に続く前方への傾斜部とともに、その下端の垂下部とを有している。
【００１６】
また、この実施の形態では、図２からもわかるように、たとえば、板状体の金属の折り曲げ加工品として、前記の受水傾斜部８１、カバー部８２、水切り部８３、そして押込み嵌合片部が一体不可分のものとしての形状、構造を有している。このような形状、構造であるが故に、たとえば受水傾斜部８１における躯体壁部１０への当接端部での折り返し曲げ部が弾反力で躯体壁部１０に密着されることや、押込み嵌合片部８４での嵌合が、弾性によってワンタッチでの取付けとして実現されることになる。
【００１７】
窓下水切り部材８は、躯体壁部１０の胴縁２に釘等の固着具９３によって固着されている固着部材９に嵌合係止されることになる。この嵌合係止は、固着部材９がその固着部９１から前方に突出させている嵌合部９２に、窓下水切り部材８の押込み部８５を手で押圧して押し込み嵌合片部８４を押込むことによってワンタッチで実現される。
【００１８】
より具体的には、図１および図２の実施形態では、窓下水切り部材８の押込み嵌合片部８４は後方へ下向部８４Ａとその端部の上向折り返し部８４Ｂを有しているとともに、前方へ突出している固着部材９の嵌合部９２は後方に向う下向折り返し部９２Ａを有し、窓下水切り部材８が前方より押込まれて、窓下水切り部材８の押込み嵌合片部８４の上向折り返し部８４Ｂの上側に固着部材９の前方に突出している嵌合部９２が差し込まれ、固着部材９の後方への下向折り返し部９２Ａに、窓下水切り部材８はその押込み嵌合片部８４の上向折り返し部８４Ｂで抜け止めされた状態で嵌合される。
【００１９】
これによって、ワンタッチの押込み嵌合であって、しかもしっかりと確実に抜け（脱離）止めされた嵌合構造が形成されることになる。
【００２０】
押込み嵌合片部８４について嵌合取付けされた窓下水切り部材８においては、一体とされている受水傾斜部８１とカバー部８２とにおいて、窓部下枠１に排水穴１１を設けて雨水の排出を促す場合であっても、図４の従来例の場合の排水受水切り６のような特別の別部材としての水切り部材を配設することなく、排出雨水を確実に受けて水切り部８３へと流すことができ、また、窓部下枠１の下面側に伝って落下する雨水であっても同様とすることができる。これによって、雨水が外装材３の上端部へ浸透することや、雨水が外装材３の裏面側へ侵入することを妨ぐことができる。
【００２１】
しかも、受水傾斜部８１とカバー部８２、そして水切り部８４、押込み部８５が一体とされている窓下水切り部材はその取付け後の概観はすっきりとして仕上がりが美しいものとなる。
【００２２】
もちろん本発明の構造は以上の例に限定されるものでなく、前記の嵌合のための形状や構造をはじめとしてその細部や部材を構成する素材等については様々な形態が可能であることは言うまでもない。
【図面の簡単な説明】
【００２３】
【図１】本発明の一実施形態を例示した縦断面図である。
【図２】図１に対応しての分解斜視図である。
【図３】従来構造について示した縦断面図である。
【図４】別の従来構造について示した縦断面図である。
【符号の説明】
【００２４】
１  窓部下枠
１１  排水穴
２  胴縁
３  外装材
４  カバー部材
４１  前端折り返し部
５  窓下水切り部材
５１  上端部
６  排水受水水切り
７  シーリング材
８  窓下水切り部材
８１  受水傾斜部
８２  カバー部
８３  水切り部
８４  押込み嵌合片部
８５  押込み部
９  固着部材
９１  固着部
９２  嵌合部
９３  固着具
１０  躯体壁部
【図１】
2009287205.tif 000003
【図２】
2009287205.tif 000004
【図３】
2009287205.tif 000005
【図４】
2009287205.tif 000006